(57)【要約】【課題】配線が断線してしまうことを抑制すること。【解決手段】配線９５は、第１のカバー部材７１及び第２のカバー部材７２における電池セルの並設方向への相対移動に対応して変形可能な撓み部９５ｆを有しており、カバー７０は、撓み部９５ｆの姿勢を保持するように配線９５を支持する第１〜第４の支持部９６，９７，９８，９９を有する。これによれば、配線９５に撓み部９５ｆが無い場合に比べると、第１のカバー部材７１が第２のカバー部材７２に対して離間する方向へ移動したときに、配線９５が監視ＥＣＵ８５ａと電流センサ８５ｂとの間で突っ張ってしまうことが抑制される。また、配線９５が第１〜第４の支持部９６，９７，９８，９９によって支持されていない場合に比べると、配線９５がカバー７０上でバタついてしまうことが抑制される。その結果、配線９５が突っ張ったりバタついたりすることで、配線９５が断線してしまうことが抑制される。【選択図】図１１
2016048623.tif 000002
【特許請求の範囲】
【請求項１】
並設された複数の電池セルと、
前記複数の電池セルの並設方向の両側から前記複数の電池セルを挟持する一対のエンドプレートと、
前記一対のエンドプレートの少なくとも一方と電池セルとの間に挟持されるとともに前記電池セルの膨張に伴い弾性変形する弾性体と、
前記電池セルにおける端子が設けられた面に対向し、前記電池セルの並設方向に沿って並設されるとともに前記電池セルの膨張に伴って互いに前記並設方向に相対移動可能な第１のカバー部材及び第２のカバー部材を含むカバーと、
前記第１のカバー部材に固定される第１の電子部品と、
前記第２のカバー部材に固定される第２の電子部品と、
前記第１の電子部品と前記第２の電子部品とを電気的に接続する配線と、を備え、
前記配線は、前記第１のカバー部材及び前記第２のカバー部材の前記並設方向への相対移動に対応して変形可能な撓み部を有しており、
前記カバーは、前記撓み部の姿勢を保持するように前記配線を支持する複数の支持部を有することを特徴とする電池モジュール。
【請求項２】
前記複数の支持部は、前記並設方向に対して交差する方向に互いにオフセット配置される第１の支持部及び第２の支持部を含み、
前記撓み部は、前記第１の支持部と前記第２の支持部との間に設けられていることを特徴とする請求項１に記載の電池モジュール。
【請求項３】
前記第１のカバー部材に前記第１の支持部が設けられるとともに、前記第２のカバー部材に前記第２の支持部が設けられていることを特徴とする請求項２に記載の電池モジュール。
【請求項４】
前記第１の支持部及び前記第２の支持部は、前記カバーの上面から立設する立設部を有しており、
前記配線は、前記第１の支持部の立設部に対して、前記カバーの上面における前記電池セルの並設方向と直交する方向の両端部である第１端部及び第２端部のうち、前記第１端部側に配策されるとともに、前記第２の支持部の立設部に対して、前記第２端部側に配策されていることを特徴とする請求項２又は請求項３に記載の電池モジュール。
【請求項５】
前記複数の支持部は、
前記並設方向において前記第１の支持部に対して前記第２の支持部とは反対側に前記並設方向に沿って隣り合うように配置される第３の支持部と、
前記並設方向において前記第２の支持部に対して前記第１の支持部とは反対側に前記並設方向に沿って隣り合うように配置される第４の支持部とを含むことを特徴とする請求項
２〜請求項４のいずれか一項に記載の電池モジュール。
【請求項６】
前記複数の支持部に前記配線が支持されたときに前記配線に前記撓み部が設けられるように、前記配線の配策作業を補助する補助部を備えることを特徴とする請求項１〜請求項５のいずれか一項に記載の電池モジュール。
【請求項７】
前記補助部は、前記配線に設けられるとともに、各支持部に支持される位置を明示していることを特徴とする請求項６に記載の電池モジュール。
【請求項８】
前記補助部は、前記カバーに設けられるとともに、前記配線の配策経路を明示していることを特徴とする請求項６又は請求項７に記載の電池モジュール。
【発明の詳細な説明】
【技術分野】
【０００１】
本発明は、並設された複数の電池セルを有する電池モジュールに関する。
【背景技術】
【０００２】
電池セルは、ケースを備え、そのケース内に電極組立体及び電解液が収容されている。電極組立体は、正極電極、負極電極、及び正極電極と負極電極とを絶縁するセパレータを有し、正極電極と負極電極との間にセパレータを介在した積層構造になっている。
【０００３】
電池モジュールは、並設された複数の電池セルを有する。各電池セルは、電池セルの並設方向が、電極組立体における正極電極、負極電極及びセパレータの重なり方向である積層方向（以下、単に「電極組立体の積層方向」と記載する）と一致するように配列されている。また、電池モジュールは、複数の電池セルを電池セルの並設方向の両側から挟持する一対のエンドプレートを有する。さらに、電池モジュールには、例えば特許文献１に開示されているように、電池セルへの液体や埃の付着防止、電池セルの端子間のバスバー接続部分の絶縁及び保護等を目的として、電池セルのケースにおける端子が設けられた面を覆うカバーが設けられる場合がある。
【０００４】
ところで、各電池セルは、使用していくにつれて膨張していく。具体的には、電池セルは充放電を繰り返すと、ケース内の電極組立体が、電極組立体の積層方向に膨張していく。この電極組立体の積層方向への膨張に伴って、ケースにおける電極組立体の積層方向に位置する側壁が押圧され、ケースが変形していく。このように、電池セルが膨張すると、一対のエンドプレートに荷重が加わってしまう虞がある。そこで、電池モジュールは、例えば、一対のエンドプレートの一方と電池セルとの間に挟持される弾性体を有する。これによれば、電池セルの使用に伴う電池セルの膨張が生じたときに、弾性体が弾性変形することによって、一対のエンドプレートに荷重が加わってしまうことが抑制される。
【０００５】
また、カバーには、電池セルに設けられる接続部材が固定される場合がある。この場合、電池セルが膨張すると、接続部材が電池セルの並設方向に移動する。しかし、カバーが電池セルの並設方向に移動できないと、電池セルとカバーとの間で接続部材に応力が掛かり、接続部材が破損してしまう虞がある。そこで、電池モジュールは、弾性体と電池セルとの間に挟持されるとともにカバーに取り付けられる取付プレートを有する。これによれば、電池セルが膨張すると、接続部材、カバー及び取付プレートが一体となって電池セルの並設方向に移動する。これにより、電池セルとカバーとの間で接続部材に応力が掛かることが抑制され、接続部材が破損してしまうことが抑制される。
【先行技術文献】
【特許文献】
【０００６】
【特許文献１】特開２０１２−１０９１５２号公報
【発明の概要】
【発明が解決しようとする課題】
【０００７】
ところで、カバー上は、例えば、電池モジュール（電池セル）に異常等が生じた場合に放電の遮断等を行う監視ＥＣＵや電流センサ等の、複数の電子部品を搭載するスペースとして適している。複数の電子部品同士は、配線によって電気的に接続される。また、カバーは、電池セルの並設方向に沿って並設される第１のカバー部材及び第２のカバー部材を有する場合がある。そして、例えば、第１のカバー部材が接続部材と固定されるとともに取付プレートに取り付けられ、第２のカバー部材が一対のエンドプレートの他方に固定されている。このように、第１のカバー部材が第２のカバー部材に対して電池セルの並設方向に接離可能になっている場合がある。
【０００８】
ここで、例えば、複数の電子部品の一つである第１の電子部品が、第１のカバー部材に固定されるとともに、複数の電子部品の一つである第２の電子部品が、第２のカバー部材に固定されているとする。第１の電子部品と第２の電子部品とを電気的に接続する配線は、第１のカバー部材と第２のカバー部材との間を跨ぐように延びている。
【０００９】
このとき、電池セルが膨張して、接続部材、第１のカバー部材及び取付プレートが一体となって電池セルの並設方向に移動すると、第１のカバー部材が第２のカバー部材に対して離間することになる。すると、配線が、第１の電子部品と第２の電子部品との間で突っ張ってしまい、配線が断線してしまう虞がある。
【００１０】
一方、第１のカバー部材が第２のカバー部材に対して離間しても、配線が第１の電子部品と第２の電子部品との間で突っ張ってしまうことが無いように、配線を予め十分に撓ませておくことが考えられる。しかし、配線を撓ませ過ぎると、配線がカバー上でバタつき易くなってしまい、配線の周りの電子部品等に配線が接触して配線が断線してしまう虞がある。
【００１１】
本発明は、上記課題を解決するためになされたものであって、その目的は、配線が断線してしまうことを抑制することができる電池モジュールを提供することにある。
【課題を解決するための手段】
【００１２】
上記課題を解決する電池モジュールは、並設された複数の電池セルと、前記複数の電池セルの並設方向の両側から前記複数の電池セルを挟持する一対のエンドプレートと、前記一対のエンドプレートの少なくとも一方と電池セルとの間に挟持されるとともに前記電池セルの膨張に伴い弾性変形する弾性体と、前記電池セルにおける端子が設けられた面に対向し、前記電池セルの並設方向に沿って並設されるとともに前記電池セルの膨張に伴って互いに前記並設方向に相対移動可能な第１のカバー部材及び第２のカバー部材を含むカバーと、前記第１のカバー部材に固定される第１の電子部品と、前記第２のカバー部材に固定される第２の電子部品と、前記第１の電子部品と前記第２の電子部品とを電気的に接続する配線と、を備え、前記配線は、前記第１のカバー部材及び前記第２のカバー部材の前記並設方向への相対移動に対応して変形可能な撓み部を有しており、前記カバーは、前記撓み部の姿勢を保持するように前記配線を支持する複数の支持部を有する。
【００１３】
これによれば、配線に撓み部が無い場合に比べると、電池セルの膨張に伴って第１のカバー部材及び第２のカバー部材が互いに電池セルの並設方向に相対移動したときに、配線が第１の電子部品と第２の電子部品との間で突っ張ってしまうことを抑制することができる。また、配線は、複数の支持部によって撓み部の姿勢が保持されるように支持されているため、配線が支持部によって支持されていない場合に比べると、配線がカバー上でバタついてしまうことを抑制することができる。よって、配線が突っ張ったりバタついたりすることで、配線が断線してしまうことを抑制することができる。
【００１４】
上記電池モジュールにおいて、前記複数の支持部は、前記並設方向に対して交差する方向に互いにオフセット配置される第１の支持部及び第２の支持部を含み、前記撓み部は、前記第１の支持部と前記第２の支持部との間に設けられていることが好ましい。これによれば、撓み部が形成し易くなり、配線の配策作業を容易なものとすることができる。
【００１５】
上記電池モジュールにおいて、前記第１のカバー部材に前記第１の支持部が設けられるとともに、前記第２のカバー部材に前記第２の支持部が設けられていることが好ましい。
これによれば、電池セルの膨張に伴って第１のカバー部材及び第２のカバー部材が互いに電池セルの並設方向に相対移動したときに、配線と各支持部との間に摩擦力が生じて、配線が各支持部に対して摺動することができなかったとしても、配線が第１の電子部品と第２の電子部品との間で突っ張ってしまうことを抑制することができる。
【００１６】
上記電池モジュールにおいて、前記第１の支持部及び前記第２の支持部は、前記カバーの上面から立設する立設部を有しており、前記配線は、前記第１の支持部の立設部に対して、前記カバーの上面における前記電池セルの並設方向と直交する方向の両端部である第１端部及び第２端部のうち、前記第１端部側に配策されるとともに、前記第２の支持部の立設部に対して、前記第２端部側に配策されていることが好ましい。
【００１７】
これによれば、第１の支持部と第２の支持部とによって配線が支持され、配線が、第１の支持部の立設部に対して、第１端部側に配策されるとともに、第２の支持部の立設部に対して、第２端部側に配策されるため、配線が、第１端部及び第２端部のどちらに向けて移動しても、第１の支持部及び第２の支持部から脱落し難い。よって、配線がカバー上でバタついてしまうことをさらに抑制し易くすることができる。
【００１８】
上記電池モジュールにおいて、前記複数の支持部は、前記並設方向において前記第１の支持部に対して前記第２の支持部とは反対側に前記並設方向に沿って隣り合うように配置される第３の支持部と、前記並設方向において前記第２の支持部に対して前記第１の支持部とは反対側に前記並設方向に沿って隣り合うように配置される第４の支持部とを含むことが好ましい。
【００１９】
これによれば、配線は、第１の支持部と第３の支持部との間で電池セルの並設方向に沿って延びるとともに、第１の支持部と第２の支持部との間で電池セルの並設方向に対して交差する方向に延び、さらに、第２の支持部と第４の支持部との間で電池セルの並設方向に沿って延びるように配策される。撓み部は、電池セルの並設方向に対して交差する方向に互いにオフセット配置された第１の支持部と第２の支持部との間で形成されている。よって、例えば、第１の支持部と第３の支持部との間や、第２の支持部と第４の支持部との間で撓み部を形成する場合に比べると、配線のバタつきを最小限に抑えながら撓み部を形成することができる。
【００２０】
上記電池モジュールにおいて、前記複数の支持部に前記配線が支持されたときに前記配線に前記撓み部が設けられるように、前記配線の配策作業を補助する補助部を備えることが好ましい。これによれば、配線の配策作業を容易なものとすることができる。
【００２１】
上記電池モジュールにおいて、前記補助部は、前記配線に設けられるとともに、各支持部に支持される位置を明示していることが好ましい。
これによれば、補助部によって明示された位置で各支持部によって配線を支持していくだけで、配線に撓み部を形成することができるため、配線の配策作業を容易なものとすることができる。
【００２２】
上記電池モジュールにおいて、前記補助部は、前記カバーに設けられるとともに、前記配線の配策経路を明示していることが好ましい。
これによれば、補助部によって明示された配線の配策経路に沿って配線を配策していくだけで、配線に撓み部を形成することができるため、配線の配策作業を容易なものとすることができる。
【発明の効果】
【００２３】
この発明によれば、配線が断線してしまうことを抑制することができる。
【図面の簡単な説明】
【００２４】
【図１】実施形態における電池モジュールを示す斜視図。
【図２】電池モジュールの断面図。
【図３】（ａ）は電池セルの分解斜視図、（ｂ）は電極組立体の分解斜視図。
【図４】電池モジュールの分解斜視図。
【図５】電池モジュールの分解斜視図。
【図６】第１のカバー部材を示す斜視図。
【図７】第２のカバー部材を示す斜視図。
【図８】監視ＥＣＵ、電流センサ及び配線を示す斜視図。
【図９】弾性体が弾性変形する前の状態を示す電池モジュールの部分断面図。
【図１０】弾性体が弾性変形した状態を示す電池モジュールの部分断面図。
【図１１】第１のカバー部材が第２のカバー部材に対して離間する方向へ移動した状態を示す電池モジュールの上面図。
【図１２】別の実施形態における第１のカバー部材及び第２のカバー部材の一部分を示す上面図。
【発明を実施するための形態】
【００２５】
以下、電池モジュールを具体化した一実施形態を図１〜図１１にしたがって説明する。
図１及び図２に示すように、電池モジュール１０は、複数の電池セル１１と、複数の伝熱プレート４１とを有している。電池セル１１及び伝熱プレート４１は、電池ホルダ２０に保持された状態で、交互に並設されている。複数の電池セル１１及び伝熱プレート４１は、電池セル１１の並設方向の両側に設けられた一対のエンドプレートである第１のエンドプレート６１及び第２のエンドプレート６２によって挟持されている。以下の説明において、並設方向の両端の電池セル１１のうち、一方を第１の電池セル１１ａ、他方を第２の電池セル１１ｂとして説明を行う。第１の電池セル１１ａは、第１のエンドプレート６１と隣り合う電池セル１１であり、第２の電池セル１１ｂは、第２のエンドプレート６２と隣り合う電池セル１１である。
【００２６】
図３（ａ）に示すように、電池セル１１は、アルミニウム製のケース１２を有し、ケース１２には電極組立体１３が収容されている。ケース１２は、有底四角筒状のケース本体１４と、ケース本体１４の開口部を閉塞する矩形板状の蓋部材１５とから構成されている。蓋部材１５には、電池セル１１同士を接続する接続部材（図示せず）が接続される端子１６（正極端子及び負極端子）が設けられている。
【００２７】
図３（ｂ）に示すように、電極組立体１３は、正極電極１３ａと負極電極１３ｂとの間にセパレータ１３ｃを介在して積層されてなる。正極電極１３ａ及び負極電極１３ｂは、金属箔に活物質が塗布されて構成される矩形状の活物質層１３ｄと、金属箔の一端から突設されたタブ１３ｅとからなる。なお、以下の説明において、正極電極１３ａ、負極電極１３ｂ及びセパレータ１３ｃの重なり方向を電極組立体１３の積層方向とする。
【００２８】
図２に示すように、電池セル１１は、並設方向が電極組立体１３の積層方向と一致するように複数並設されている。第１のエンドプレート６１と第１の電池セル１１ａとの間には、平板状の弾性体３１が挟持されている。弾性体３１は、ゴムや、樹脂系のスポンジなどの弾性変形可能な材料からなる。また、弾性体３１と第１の電池セル１１ａとの間には、平板状の取付プレート５１が挟持されている。
【００２９】
図４に示すように、電池ホルダ２０は、矩形平板状の第１の被覆壁２１を有している。第１の被覆壁２１の長手方向両端には、第１の被覆壁２１の厚み方向に延びる矩形平板状の第２の被覆壁２２及び第３の被覆壁２３が設けられている。第１の被覆壁２１、第２の被覆壁２２及び第３の被覆壁２３に囲まれる領域は、電池セル１１が収容される収容部Ｓとなる。
【００３０】
第２の被覆壁２２の長手方向第１端部２２ａ（第１の被覆壁２１が設けられる端部とは反対側の端部）と、第３の被覆壁２３の長手方向第１端部２３ａ（第１の被覆壁２１が設けられる端部とは反対側の端部）には、各被覆壁２２，２３の短手方向第１端部２２ｂ、２３ｂの間で延びる矩形平板状の第４の被覆壁２４が設けられている。第４の被覆壁２４は、厚み方向が被覆壁２２，２３の短手方向と一致し、長手方向が第２の被覆壁２２と第３の被覆壁２３の対向方向に一致する。そして、第４の被覆壁２４の厚み方向及び長手方向に直交する方向が、第４の被覆壁２４の短手方向となる。
【００３１】
また、第４の被覆壁２４の長手方向両端における第４の被覆壁２４の短手方向の一端面上には、Ｕ字状をなすとともに、第４の被覆壁２４の厚み方向に開口する端子収容部２５がそれぞれ設けられており、各端子収容部２５は、第２の被覆壁２２及び第３の被覆壁２３に連設されている。
【００３２】
第４の被覆壁２４の短手方向の一端面上には、端子収容部２５と隣り合って四角柱状の柱部材２６が設けられている。柱部材２６の軸は、被覆壁２２，２３の短手方向に延びている。柱部材２６には、挿通孔２６ａが柱部材２６の軸方向に貫通して設けられている。
【００３３】
第２の被覆壁２２及び第３の被覆壁２３の長手方向第１端部２２ａ，２３ａには、各被覆壁２２，２３と連設され、各被覆壁２２，２３の長手方向に延びる矩形平板状の誘導部２７が設けられている。また、第２の被覆壁２２及び第３の被覆壁２３の長手方向第２端部２２ｃ，２３ｃには、四角柱状の脚部２８が設けられている。脚部２８の軸は、被覆壁２２，２３の短手方向に延びている。脚部２８には、挿通孔２８ａが脚部２８の軸方向に貫通して設けられている。
【００３４】
伝熱プレート４１は、金属製の板材をＬ字状に屈曲させることで形成されている。伝熱プレート４１は、矩形平板状の本体４２と、本体４２の長手方向一端から本体４２の厚み方向に延びる屈曲部４３とを有している。
【００３５】
図５に示すように、取付プレート５１は、矩形平板状の基部５２を有している。基部５２には、基部５２の厚み方向の面に沿う方向に突出する突出部５３，５４が設けられている。具体的にいえば、基部５２の短手方向の両端部の一方に二つの第１の突出部５３が設けられ、他方に二つの第２の突出部５４が設けられている。
【００３６】
各第１の突出部５３は、短手方向の端部の中央寄りに設けられており、基部５２の長手方向において互いに間隔を空けて設けられている。各第１の突出部５３には、厚み方向に貫通する第１の貫通孔５５及び第２の貫通孔５６が設けられている。第１の貫通孔５５同士の間隔は、電池ホルダ２０の柱部材２６の挿通孔２６ａ同士の間隔と同一間隔となっている。
【００３７】
各第２の突出部５４は、基部５２の長手方向の両端部に設けられている。各第２の突出部５４には、第３の貫通孔５７が設けられている。第３の貫通孔５７同士の間隔は、電池ホルダ２０の脚部２８の挿通孔２８ａ同士の間隔と同一間隔となっている。
【００３８】
第１のエンドプレート６１は、矩形平板状のプレート基部６３を有している。プレート基部６３の短手方向の両端部からは、それぞれ、二つの第１のプレート突出部６４と、二つの第２のプレート突出部６５とが突出している。
【００３９】
各第１のプレート突出部６４には、厚み方向に貫通する第１のプレート貫通孔６６が設けられている。第１のプレート貫通孔６６同士の間隔は、電池ホルダ２０の柱部材２６の挿通孔２６ａの間隔と同一間隔となっている。各第２のプレート突出部６５には、第２のプレート貫通孔６７が設けられている。第２のプレート貫通孔６７同士の間隔は、電池ホルダ２０の脚部２８の挿通孔２８ａ同士の間隔と同一間隔となっている。
【００４０】
図４に示すように、第２のエンドプレート６２は、第１のエンドプレート６１と同一形状である。このため、同一部分に同一符号を付してその説明を省略する。また、第２のエンドプレート６２の各第１のプレート突出部６４には、厚み方向に貫通する第３のプレート貫通孔６８が設けられている。
【００４１】
図２に示すように、電池セル１１、伝熱プレート４１、電池ホルダ２０、取付プレート５１及び弾性体３１は、第１のエンドプレート６１と第２のエンドプレート６２とによって挟持されることで、一体化されている。第１のエンドプレート６１の各プレート貫通孔６６，６７、電池ホルダ２０の挿通孔２６ａ，２８ａ、取付プレート５１の第１の貫通孔５５、取付プレート５１の第３の貫通孔５７及び第２のエンドプレート６２のプレート貫通孔６６，６７にはボルトＢが挿通されている。ボルトＢは、第１のエンドプレート６１のプレート貫通孔６６，６７を貫通した位置でナットＮに螺合されている。これにより、第１のエンドプレート６１及び第２のエンドプレート６２には、互いに近付く方向に荷重が作用し、これにより各部材が拘束されている。
【００４２】
図１及び図２に示すように、電池モジュール１０は、カバー７０を有している。カバー７０は、電池セル１１のケース１２における端子１６が設けられた面（蓋部材１５）と対向している。そして、カバー７０は、ケース１２における端子１６が設けられた面を覆っている。カバー７０は、電池ホルダ２０の誘導部２７間に配設されている。カバー７０は、電池セル１１の並設方向に沿って並設される第１のカバー部材７１及び第２のカバー部材７２を有している。
【００４３】
図６に示すように、第１のカバー部材７１は、矩形平板状の本体７３を有している。本体７３の長手方向の両端部には、本体７３の厚み方向に立設する立設部７４が設けられている。本体７３には、厚み方向に貫通する貫通孔７５が設けられている。貫通孔７５は、本体７３の一つの角部に寄って設けられている。本体７３の厚み方向の面のうち立設部７４が設けられた面には、平板状の固定板７９が設けられている。固定板７９は、貫通孔７５の近傍に設けられている。固定板７９には、インサート成形などによってナット８０が埋設されている。
【００４４】
本体７３の厚み方向の面のうち、立設部７４が設けられた面とは反対側の面には、四角柱状の固定部８１が設けられている。固定部８１は、短手方向の端部のうちの一方に二つ設けられている。固定部８１は、本体７３の長手方向に間隔を空けて設けられている。固定部８１は、互いに対向する面とは反対側の面間の距離が、電池ホルダ２０の柱部材２６の互いに対向する面間の距離よりも短い。固定部８１には、インサート成形などによってナット８２が埋設されている。
【００４５】
図７に示すように、第２のカバー部材７２は、矩形平板状の本体７６を有している。本体７６の長手方向の両端部には、本体７６の厚み方向に立設する立設部７７が設けられている。本体７６には、厚み方向に貫通する貫通孔７８が設けられている。貫通孔７８は、本体７６の一つの角部に寄って設けられている。
【００４６】
本体７６の厚み方向の面のうち、立設部７７が設けられた面とは反対側の面には、四角柱状の固定部８３が設けられている。固定部８３は、短手方向の端部のうちの一方に二つ設けられている。固定部８３は、本体７６の長手方向に間隔を空けて設けられている。固定部８３には、インサート成形などによってナット８４が埋設されている。各固定部８３に埋設されたナット８４同士の間隔（中心間距離）は、第２のエンドプレート６２の第３のプレート貫通孔６８同士の間隔と同一である。
【００４７】
図１に示すように、第１のカバー部材７１と第２のカバー部材７２とは、貫通孔７５，７８が設けられた角が対角に位置するように配置されている。第１のカバー部材７１は、第１のエンドプレート６１寄りに位置し、第２のカバー部材７２は、第２のエンドプレート６２寄りに位置している。第１のカバー部材７１の立設部７４と、第２のカバー部材７２の立設部７７は、それぞれ、電池ホルダ２０の誘導部２７に沿って設けられている。第１のカバー部材７１と第２のカバー部材７２とは互いが固定されていないため、互いに電池セル１１の並設方向に離間可能（相対移動可能）となっている。
【００４８】
図１及び図２に示すように、第２のエンドプレート６２の第３のプレート貫通孔６８に挿通されたネジ５９は、第２のカバー部材７２の固定部８３に埋設されたナット８４に螺合されている。これにより、第２のエンドプレート６２と第２のカバー部材７２とが固定されている。
【００４９】
図５に示すように、第１のカバー部材７１の固定部８１は、電池ホルダ２０の柱部材２６の間に位置している。そして、取付プレート５１の第２の貫通孔５６に挿通されたネジ５８が固定部８１に埋設されたナット８２に螺合されることで、取付プレート５１と第１のカバー部材７１とが固定されている。
【００５０】
図１に示すように、第１のカバー部材７１の貫通孔７５には、柱状のバスバー１００が挿通されている。バスバー１００は、第１の柱部１０１と、第１の柱部１０１と直角に交わる第２の柱部１０２とを有している。第１の柱部１０１は、第１の電池セル１１ａの端子１６に接続されるとともに、第１のカバー部材７１の貫通孔７５を挿通してカバー７０上に突出している。第２の柱部１０２は、固定板７９に沿って延びている。第２の柱部１０２には、ネジ１０３によってハーネス１０４が固定されている。ネジ１０３は、ハーネス１０４の接続部１０５及び第２の柱部１０２を貫通して固定板７９に埋設されたナット８０に螺合されている。これにより、第１のカバー部材７１には、バスバー１００とともにハーネス１０４が固定されている。
【００５１】
第１のカバー部材７１には、電池モジュール１０を監視して、電池モジュール１０（電池セル１１）に異常などが生じた場合に放電の遮断などを行う第１の電子部品としての監視ＥＣＵ８５ａが固定されている。第２のカバー部材７２には、第２の電子部品としての電流センサ８５ｂが固定されている。電流センサ８５ｂは、電池セル１１と接続されている。具体的にいえば、第２の電池セル１１ｂの端子１６には、柱状のバスバー８６が設けられており、バスバー８６は、第２のカバー部材７２の貫通孔７８を介して電流センサ８５ｂの接続端子（図示せず）と固定されている。
【００５２】
監視ＥＣＵ８５ａと電流センサ８５ｂとは配線９５によって電気的に接続されている。また、カバー７０には、配線９５を支持する支持部としての第１〜第４の支持部９６，９７，９８，９９が設けられている。第１〜第４の支持部９６，９７，９８，９９は、カバー７０の上面７０ａにおける電池セル１１の並設方向と直交する方向の両端部である第１端部７０１及び第２端部７０２のうち、第１端部７０１寄りに配置されている。なお、監視ＥＣＵ８５ａは、カバー７０の上面７０ａにおける電池セル１１の並設方向と直交する方向の中央部であって、且つ第１のエンドプレート６１寄りに配置されているとともに、電流センサ８５ｂは、カバー７０の上面７０ａの第２端部７０２寄りであって、且つ第２のエンドプレート６２寄りに配置されている。
【００５３】
第１〜第４の支持部９６，９７，９８，９９は、Ｌ字状に屈曲した鉤状であり、カバー７０の上面７０ａから立設する立設部９６ａ，９７ａ，９８ａ，９９ａと、立設部９６ａ，９７ａ，９８ａ，９９ａの先端に連続するとともに、カバー７０の上面７０ａと平行に延びる延設部９６ｂ，９７ｂ，９８ｂ，９９ｂとから形成されている。
【００５４】
第１の支持部９６及び第２の支持部９７は、電池セル１１の並設方向に対して交差する方向に互いにオフセット配置されている。第１の支持部９６は第２の支持部９７よりも第１端部７０１寄りに配置されている。第３の支持部９８は、電池セル１１の並設方向において第１の支持部９６に対して第２の支持部９７とは反対側に電池セル１１の並設方向に沿って隣り合うように配置されている。第４の支持部９９は、電池セル１１の並設方向において第２の支持部９７に対して第１の支持部９６とは反対側に電池セル１１の並設方向に沿って隣り合うように配置されている。第１の支持部９６及び第３の支持部９８は第１のカバー部材７１に設けられるとともに、第２の支持部９７及び第４の支持部９９は第２のカバー部材７２に設けられている。
【００５５】
図８に示すように、配線９５は、第１〜第４の支持部９６，９７，９８，９９に支持される位置を明示して、配線９５の配策作業を補助する補助部としての第１〜第４の補助部９５ａ，９５ｂ，９５ｃ，９５ｄを有する。第１〜第４の補助部９５ａ，９５ｂ，９５ｃ，９５ｄは、配線９５における第１〜第４の補助部９５ａ，９５ｂ，９５ｃ，９５ｄ以外の部分とは色が異なっている。
【００５６】
図１に示すように、配線９５は、第１〜第４の補助部９５ａ，９５ｂ，９５ｃ，９５ｄによって明示された位置で第１〜第４の支持部９６，９７，９８，９９によって支持されている。具体的には、第１の支持部９６は、第１の補助部９５ａによって明示された位置で配線９５を支持しているとともに、第２の支持部９７は、第２の補助部９５ｂによって明示された位置で配線９５を支持している。さらに、第３の支持部９８は、第３の補助部９５ｃによって明示された位置で配線９５を支持しているとともに、第４の支持部９９は、第４の補助部９５ｄによって明示された位置で配線９５を支持している。
【００５７】
そして、配線９５は、監視ＥＣＵ８５ａから第３の支持部９８に向かって延びるとともに、第３の支持部９８から第１の支持部９６に向かって延び、さらに、第１の支持部９６から第２の支持部９７に向かって延びている。続いて、配線９５は、第２の支持部９７から第４の支持部９９に向かって延びるとともに、第４の支持部９９から電流センサ８５ｂに向かって延びている。
【００５８】
具体的には、配線９５は、第１の支持部９６と第３の支持部９８との間で電池セル１１の並設方向に沿って延びるとともに、第１の支持部９６と第２の支持部９７との間で電池セル１１の並設方向に対して交差する方向に延びている。さらに、第２の支持部９７と第４の支持部９９との間で電池セル１１の並設方向に沿って延びるように配策されている。そして、配線９５は、第１のカバー部材７１及び第２のカバー部材７２における電池セル１１の並設方向への相対移動に対応して変形可能な撓み部９５ｆを有している。撓み部９５ｆは、第１の支持部９６と第２の支持部９７との間に設けられている。そして、配線９５が第１〜第４の支持部９６，９７，９８，９９によって支持されることで、撓み部９５ｆの姿勢が保持されている。
【００５９】
配線９５は、第１の支持部９６、第３の支持部９８及び第４の支持部９９の立設部９６ａ，９８ａ，９９ａに対して、第１端部７０１側に配策されるとともに、第２の支持部９７の立設部９７ａに対して、第２端部７０２側に配策されている。よって、第１の支持部９６、第３の支持部９８及び第４の支持部９９の立設部９６ａ，９８ａ，９９ａにおける第１端部７０１側の部位が配線９５と対向しており、第２の支持部９７の立設部９７ａにおける第２端部７０２側の部位が配線９５と対向している。
【００６０】
図９では、弾性体３１が弾性変形する前の状態を示すとともに、図１０では弾性体３１が弾性変形した状態を示している。電池セル１１は、使用していくにつれて膨張していく。具体的には、電池セル１１は充放電を繰り返すと、正極電極１３ａ及び負極電極１３ｂの表面に被膜が形成されていく。この被膜が厚くなることによって電極組立体１３が積層方向に膨張していく。この電極組立体１３の積層方向への膨張に伴って、ケース１２における電極組立体１３の積層方向に位置する側壁が押圧され、ケース１２が変形していく。このように、電池セル１１が膨張すると、この電池セル１１の膨張に伴い弾性体３１が弾性変形する。よって、ケース１２が変形しても、第１のエンドプレート６１及び第２のエンドプレート６２へ荷重が加わってしまうことが抑制されている。
【００６１】
図１０に示すように、弾性体３１が弾性変形すると、第１のカバー部材７１が取り付けられた取付プレート５１は、第１のカバー部材７１と一体となって移動する。このため、バスバー１００、第１のカバー部材７１及び取付プレート５１が一体となって、電池セル１１の並設方向に移動し、電池セル１１と第１のカバー部材７１との間でバスバー１００に応力が掛かることが抑制される。なお、第１のカバー部材７１が移動するときには、立設部７４が電池ホルダ２０の誘導部２７に沿って移動することで、第１のカバー部材７１が電池セル１１の並設方向に案内される。
【００６２】
次に、本実施形態の作用を図１１にしたがって説明する。なお、図１１では、説明の便宜上、電池ホルダ２０の図示を省略している。
図１１に示すように、配線９５が、その一部分に撓み部９５ｆを有した状態で第１〜第４の支持部９６，９７，９８，９９に支持されている。このため、配線９５に撓み部９５ｆが無い場合に比べると、第１のカバー部材７１が第２のカバー部材７２に対して離間する方向へ移動したとき、配線９５が監視ＥＣＵ８５ａと電流センサ８５ｂとの間で突っ張ってしまうことが抑制されている。また、配線９５は、第１〜第４の支持部９６，９７，９８，９９によって撓み部９５ｆの姿勢が保持されるように支持されているため、配線９５が第１〜第４の支持部９６，９７，９８，９９によって支持されていない場合に比べると、配線９５がカバー７０上でバタついてしまうことが抑制されている。よって、配線９５が突っ張ったりバタついたりすることで、配線９５が断線してしまうことが抑制されている。
【００６３】
撓み部９５ｆは、第１の支持部９６と第２の支持部９７との間に設けられている。例えば、第１のカバー部材７１が第２のカバー部材７２に対して離間する方向へ移動したときに、配線９５と第１〜第４の支持部９６，９７，９８，９９との間に摩擦力が生じて、配線９５が第１〜第４の支持部９６，９７，９８，９９に対して摺動することができない場合がある。この場合であっても、配線９５が監視ＥＣＵ８５ａと電流センサ８５ｂとの間で突っ張ってしまうことが抑制される。
【００６４】
上記実施形態では以下の効果を得ることができる。
（１）配線９５は、第１のカバー部材７１及び第２のカバー部材７２における電池セル１１の並設方向への相対移動に対応して変形可能な撓み部９５ｆを有しており、カバー７０は、撓み部９５ｆの姿勢を保持するように配線９５を支持する第１〜第４の支持部９６，９７，９８，９９を有する。これによれば、配線９５に撓み部９５ｆが無い場合に比べると、電池セル１１の膨張に伴って第１のカバー部材７１及び第２のカバー部材７２が互いに電池セル１１の並設方向に相対移動したときに、配線９５が監視ＥＣＵ８５ａと電流センサ８５ｂとの間で突っ張ってしまうことを抑制することができる。また、配線９５が第１〜第４の支持部９６，９７，９８，９９によって支持されていない場合に比べると、配線９５がカバー７０上でバタついてしまうことを抑制することができる。よって、配線９５が突っ張ったりバタついたりすることで、配線９５が断線してしまうことを抑制することができる。
【００６５】
（２）撓み部９５ｆは、第１の支持部９６と第２の支持部９７との間に設けられている。これによれば、撓み部９５ｆが形成し易くなり、配線９５の配策作業を容易なものとすることができる。
【００６６】
（３）第１のカバー部材７１に第１の支持部９６が設けられるとともに、第２のカバー部材７２に第２の支持部９７が設けられている。例えば、第１のカバー部材７１が第２のカバー部材７２に対して離間する方向へ移動したときに、配線９５と第１〜第４の支持部９６，９７，９８，９９との間に摩擦力が生じて、配線９５が第１〜第４の支持部９６，９７，９８，９９に対して摺動することができない場合がある。この場合であっても、配線９５が監視ＥＣＵ８５ａと電流センサ８５ｂとの間で突っ張ってしまうことを抑制することができる。
【００６７】
（４）配線９５は、第１の支持部９６の立設部９６ａに対して、第１端部７０１側に配策されるとともに、第２の支持部９７の立設部９７ａに対して、第２端部７０２側に配策されている。これによれば、配線９５が、第１端部７０１及び第２端部７０２のどちらに向けて移動しても、第１の支持部９６及び第２の支持部９７から脱落し難い。よって、配線９５がカバー７０上でバタついてしまうことをさらに抑制し易くすることができる。
【００６８】
（５）配線９５は、第１の支持部９６と第３の支持部９８との間で電池セル１１の並設方向に沿って延びるとともに、第１の支持部９６と第２の支持部９７との間で電池セル１１の並設方向に対して交差する方向に延び、さらに、第２の支持部９７と第４の支持部９９との間で電池セル１１の並設方向に沿って延びるように配策される。撓み部９５ｆは、電池セル１１の並設方向に対して交差する方向に互いにオフセット配置された第１の支持部９６と第２の支持部９７との間で形成されている。よって、例えば、第１の支持部９６と第３の支持部９８との間や、第２の支持部９７と第４の支持部９９との間で撓み部を形成する場合に比べると、配線９５のバタつきを最小限に抑えながら撓み部９５ｆを形成することができる。
【００６９】
（６）第１〜第４の補助部９５ａ，９５ｂ，９５ｃ，９５ｄは、第１〜第４の支持部９６，９７，９８，９９に配線９５が支持されたときに配線９５に撓み部９５ｆが設けられるように、配線９５の配策作業を補助する。これによれば、配線９５の配策作業を容易なものとすることができる。
【００７０】
（７）第１〜第４の補助部９５ａ，９５ｂ，９５ｃ，９５ｄは、配線９５に設けられるとともに、第１〜第４の支持部９６，９７，９８，９９に支持される位置を明示している。これによれば、第１〜第４の補助部９５ａ，９５ｂ，９５ｃ，９５ｄによって明示された位置で第１〜第４の支持部９６，９７，９８，９９によって配線９５を支持していくだけで、配線９５に撓み部９５ｆを形成することができるため、配線９５の配策作業を容易なものとすることができる。
【００７１】
（８）本実施形態では、第１のエンドプレート６１と第１の電池セル１１ａとの間に弾性体３１が設けられており、第２のエンドプレート６２と第２の電池セル１１ｂとの間には弾性体３１が設けられていない。このため、電池セル１１のケース１２が変形し、電池セル１１が若干移動するときに、電池セル１１は弾性体３１側、すなわち、第１のエンドプレート６１に向けて移動する。このため、第２の電池セル１１ｂに比べて、第１の電池セル１１ａの移動量は大きい。第１のカバー部材７１と第２のカバー部材７２とは、互いに固定されていないため、第１の電池セル１１ａの移動に伴い一体となって移動しようとするのは、第１のカバー部材７１のみである。すなわち、第１のエンドプレート６１と第１の電池セル１１ａとの間にのみ弾性体３１を設けることで、電池セル１１の移動方向を定め、第１のカバー部材７１と第２のカバー部材７２とを離間可能とすることで、第２のカバー部材７２への影響を少なくすることができる。
【００７２】
なお、上記実施形態は以下のように変更してもよい。
○  図１２に示すように、カバー７０の上面７０ａに、配線９５の配策経路を明示する補助部９５ｇが設けられていてもよい。補助部９５ｇは、例えば、カバー７０の上面７０ａに色が塗られることにより、配線９５の配策経路を明示している。これによれば、補助部９５ｇによって明示された配線９５の配策経路に沿って配線９５を配策していくだけで、配線９５に撓み部９５ｆを形成することができるため、配線９５の配策作業を容易なものとすることができる。
【００７３】
○  実施形態において、第１〜第４の補助部９５ａ，９５ｂ，９５ｃ，９５ｄとして、例えば、配線９５に文字や模様等を記すようにしてもよい。
○  実施形態において、配線９５に第１〜第４の補助部９５ａ，９５ｂ，９５ｃ，９５ｄが無くてもよい。
【００７４】
○  実施形態において、カバー部材の数を増やしてもよい。
○  実施形態において、支持部の数を増やしてもよい。
○  実施形態において、支持部の配置位置を適宜変更してもよい。
【００７５】
○  実施形態において、撓み部９５ｆの位置を適宜変更してもよい。
○  実施形態において、支持部の形状は特に限定されるものではない。
○  実施形態において、バスバー１００はカバー７０のいずれかの位置に固定されていればよく、固定板７９に固定されていなくてもよい。バスバー１００を固定板７９に固定しない場合には、固定板７９は設けられていなくてもよい。
【００７６】
○  実施形態において、第１のエンドプレート６１と第１の電池セル１１ａとの間に加えて、第２のエンドプレート６２と第２の電池セル１１ｂとの間に弾性体を設けてもよい。そして、第２のカバー部材７２に取り付けられるとともに弾性体と第２の電池セル１１ｂとの間に挟持される取付プレートを設けてもよい。
【００７７】
○  実施形態において、取付プレート５１は、ネジ５８以外でカバー７０に取り付けられていてもよく、例えば、接着剤などで取り付けられていてもよい。
○  実施形態において、配線９５は、監視ＥＣＵ８５ａと電流センサ８５ｂとを電気的に接続するものに限らず、第１のカバー部材７１に固定される第１の電子部品と、第２のカバー部材７２に固定される第２の電子部品とを電気的に接続するものであればよい。
【００７８】
○  実施形態において、電極組立体１３は、帯状の正極電極と帯状の負極電極とを捲回して層状に積層した捲回型タイプであってもよい。
【符号の説明】
【００７９】
１０…電池モジュール、１１…電池セル、１６…端子、３１…弾性体、６１…エンドプレートとしての第１のエンドプレート、６２…エンドプレートとしての第２のエンドプレート、７０…カバー、７０ａ…上面、７１…第１のカバー部材、７２…第２のカバー部材、８５ａ…第１の電子部品としての監視ＥＣＵ、８５ｂ…第２の電子部品としての電流センサ、９５…配線、９５ａ…補助部としての第１の補助部、９５ｂ…補助部としての第２の補助部、９５ｃ…補助部としての第３の補助部、９５ｄ…補助部としての第４の補助部、９５ｆ…撓み部、９５ｇ…補助部、９６…支持部としての第１の支持部、９６ａ，９７ａ，９８ａ，９９ａ…立設部、９７…支持部としての第２の支持部、９８…支持部としての第３の支持部、９９…支持部としての第４の支持部、７０１…第１端部、７０２…第２端部。
【図１】
2016048623.tif 000003
【図２】
2016048623.tif 000004
【図３】
2016048623.tif 000005
【図４】
2016048623.tif 000006
【図５】
2016048623.tif 000007
【図６】
2016048623.tif 000008
【図７】
2016048623.tif 000009
【図８】
2016048623.tif 000010
【図９】
2016048623.tif 000011
【図１０】
2016048623.tif 000012
【図１１】
2016048623.tif 000013
【図１２】
2016048623.tif 000014